(57)【要約】  本発明は、ＱＰＳＫ変調を使用するシステムで整合フィルタを実施するための方法および装置を開示する。本発明では、マルチプライヤは整合フィルタを実施するために、パイロット・シーケンス（またはトレーニング・シーケンス）の特性を使用することによってマルチプレクサとして変更される。
2008529386.tif 000002
【特許請求の範囲】
【請求項１】
ワイヤレス通信システムで整合フィルタを実施するための方法であって、
（ａ）複数のサンプリング・シーケンスの中のそれぞれのサンプル点の同相成分と直角位相成分を得るために、事前に処理された受信信号をオーバサンプリングし、抽出するステップと、
（ｂ）複数の対応する整合フィルタをかけられた結果を得るために、事前に定義された選択信号によって、それぞれのサンプリング・シーケンスのために同じサンプリング・シーケンスの中のそれぞれのサンプル点の前記同相成分と前記直角位相成分とを変換し、結合するステップとを含む方法。
【請求項２】
前記事前に定義された選択信号は、既知のトレーニング・シーケンスに基づく請求項１に記載の方法。
【請求項３】
各サンプリング・シーケンスの長さは、前記既知のトレーニング・シーケンスの長さと等しい請求項２に記載の方法。
【請求項４】
前記変換し、結合する処理のステップは、取り消された同相成分と取り消された直角位相成分とを得るために、前記それぞれのサンプル点の前記同相成分と前記直角位相成分との取り消し動作を実行することを含む請求項３に記載の方法。
【請求項５】
前記変換し、結合する処理のステップは、前記それぞれのサンプル点の対応する出力結果を得るために、それぞれのサンプル点の前記同相成分と前記取り消された同相成分と前記直角位相成分と前記取り消された直角位相成分との事前に定義された結合動作を実行することをさらに含む請求項４に記載の方法。
【請求項６】
前記変換し、結合する処理のステップは、前記サンプリング・シーケンスに対応する前記整合フィルタをかけられた結果を得るために、前記サンプリング・シーケンスのために前記同じサンプリング・シーケンスの中のそれぞれのサンプル点が対応する出力結果について累算動作を実行することをさらに含む請求項５に記載の方法。
【請求項７】
最適に整合されたサンプリング・シーケンスを判定するために、前記複数の整合フィルタをかけられた結果をバッファし、比較するステップであって、前記最適に整合されたサンプリング・シーケンスが対応する前記整合フィルタをかけられた結果が最大値を有するステップをさらに含む請求項１に記載の方法。
【請求項８】
前記それぞれのサンプル点が対応する前記出力結果は、予想される結果の集合のうちの１つである請求項５に記載の方法。
【請求項９】
前記ワイヤレス通信システムはＴＤ−ＳＣＤＭＡシステムであり、前記既知のトレーニング・シーケンスの各ユニットの数値は集合｛１，−１，ｊ，−ｊ｝のうちの１つである請求項２に記載の方法。
【請求項１０】
前記ワイヤレス通信システムはＴＤ−ＳＣＤＭＡシステムであり、予想される結果の前記集合はＩが前記同相成分であり、Ｑが前記直角位相成分であり、−Ｉが前記取り消された同相成分であり、−Ｑが前記取り消された直角位相成分である集合｛Ｉ＋ｊＱ，−Ｉ−ｊＱ，−Ｑ＋ｊＩ，Ｑ−ｊＩ｝のうちの１つである請求項８または９に記載の方法。
【請求項１１】
前記ワイヤレス通信システムはＷＣＤＭＡシステムであり、前記既知のトレーニング・シーケンスの各ユニットの数値は集合｛１＋ｊ，１−ｊ，１＋ｊ，−１−ｊ｝のうちの１つである請求項２に記載の方法。
【請求項１２】
前記ワイヤレス通信システムはＷＣＤＭＡシステムであり、予想される結果の前記集合はＩが前記同相成分であり、Ｑが前記直角位相成分であり、−Ｉが前記取り消された同相成分であり、−Ｑが前記取り消された直角位相である集合｛（Ｉ−Ｑ）＋ｊ（Ｉ＋Ｑ），（Ｉ＋Ｑ）＋ｊ（−Ｉ＋Ｑ），（−Ｉ−Ｑ）＋ｊ（Ｉ−Ｑ），（−Ｉ＋Ｑ）＋ｊ（−Ｉ−Ｑ）｝のうちの１つである請求項８または１１に記載の方法。
【請求項１３】
ワイヤレス通信システムで整合フィルタを実施するための装置であって、
複数のサンプリング・シーケンスの中のそれぞれのサンプル点の同相成分と直角位相成分とを得るために、事前に処理された受信信号をオーバサンプリングし、抽出するためのオーバサンプリングおよび抽出手段と、
複数の対応する整合フィルタをかけられた結果を得るために、事前に定義された選択信号によって、それぞれのサンプリング・シーケンスのために同じサンプリング・シーケンスの中のそれぞれのサンプル点の前記同相成分と前記直角位相成分とを変換し、結合するための変換処理手段と備える装置。
【請求項１４】
前記整合フィルタは、既知のトレーニング・シーケンスの選択信号に基づいて事前に定義された選択信号を定義するための事前定義手段をさらに備える請求項１３に記載の装置。
【請求項１５】
前記それぞれのサンプリング・シーケンスは、前記既知のトレーニング・シーケンスの長さと同じ長さである請求項１４に記載の装置。
【請求項１６】
前記変換処理手段は、取り消された同相成分と取り消された直角位相成分とを得るために、前記それぞれのサンプル点の前記同相成分と前記直角位相成分との取り消し動作を実行するための取り消し手段を含む請求項１５に記載の装置。
【請求項１７】
前記変換処理手段は、前記それぞれのサンプル点の対応する出力結果を得るために、それぞれのサンプル点の前記同相成分と前記取り消された同相成分と前記直角位相成分と前記取り消された直角位相成分との事前に定義された結合動作を実行するための信号結合手段をさらに含む請求項１６に記載の装置。
【請求項１８】
前記変換処理手段は、前記サンプリング・シーケンスに対応する前記整合フィルタをかけられた結果を得るために、前記サンプリング・シーケンスのために前記同じサンプリング・シーケンスの中のそれぞれのサンプル点が対応する出力結果について累算動作を実行するための累算手段をさらに含む請求項１７に記載の装置。
【請求項１９】
前記複数の整合フィルタをかけられた結果をバッファするためのバッファ手段と、
最適に整合されたサンプリング・シーケンスを判定するために、バッファされた前記複数の整合フィルタをかけられた結果を比較するための比較手段であって、前記最適に整合されたサンプリング・シーケンスが対応する前記整合フィルタをかけられた結果が最大値を有する手段とをさらに含む請求項１３に記載の装置。
【請求項２０】
前記それぞれのサンプル点が対応する前記出力結果は、予想される結果の集合のうちの１つである請求項１７に記載の装置。
【請求項２１】
前記ワイヤレス通信システムはＴＤ−ＳＣＤＭＡシステムであり、前記既知のトレーニング・シーケンスの各ユニットの数値は集合｛１，−１，ｊ，−ｊ｝のうちの１つである請求項１４に記載の装置。
【請求項２２】
前記ワイヤレス通信システムはＴＤ−ＳＣＤＭＡシステムであり、予想される結果の前記集合はＩが前記同相成分であり、Ｑが前記直角位相成分であり、−Ｉが前記取り消された同相成分であり、−Ｑが前記取り消された直角位相成分である集合｛Ｉ＋ｊＱ，−Ｉ−ｊＱ，−Ｑ＋ｊＩ，Ｑ−ｊＩ｝のうちの１つである請求項２０または２１に記載の装置。
【請求項２３】
前記ワイヤレス通信システムはＷＣＤＭＡシステムであり、前記既知のトレーニング・シーケンスの各ユニットの数値は集合｛１＋ｊ，１−ｊ，１＋ｊ，−１−ｊ｝のうちの１つである請求項１４に記載の装置。
【請求項２４】
前記ワイヤレス通信システムはＷＣＤＭＡシステムであり、予想される結果の前記集合はＩが前記同相成分であり、Ｑが前記直角位相成分であり、−Ｉが前記取り消された同相成分であり、−Ｑが前記取り消された直角位相である集合｛（Ｉ−Ｑ）＋ｊ（Ｉ＋Ｑ），（Ｉ＋Ｑ）＋ｊ（−Ｉ＋Ｑ），（−Ｉ−Ｑ）＋ｊ（Ｉ−Ｑ），（−Ｉ＋Ｑ）＋ｊ（−Ｉ−Ｑ）｝のうちの１つである請求項２０または２１に記載の装置。
【発明の詳細な説明】
【技術分野】
【０００１】
本発明はワイヤレス通信システムに関し、特にワイヤレス通信システムで整合フィルタを実施するための単純化された方法および装置に関する。
【背景技術】
【０００２】
ＣＤＭＡシステムの直接拡散方式［Direst Sequence Spread Spectrum］では、擬似ランダム・ノイズ特性を備えた高速の拡散スペクトル・シーケンスは通常より低速のベースバンド信号の周波数を拡散するために採用され、それによって信号の送信品質を向上させるためのチャネルの拡散スペクトル利得を得る。レシーバでは、受信された信号上で反対の処理すなわち逆拡散処理を実行してオリジナルのデータ情報を復元するために、同じ拡散スペクトル・シーケンスが使用される。ここでの重要な要素は、トランスミッタとレシーバとの間の同期化である。一般にＤＳ−ＣＤＭＡ（直接拡散符号分割多重アクセス）システムでは、通常ＳＣ（すなわち同期化符号）と呼ばれる事前に定義されたシーケンスがフレーム同期化のために各々のサブ・フレームの中に挿入され、事前に定義された既知のシーケンス（トレーニング・シーケンス）もまた、時間スロット同期化のために各時間スロットの中に挿入され、受信を行う端末は、まさに事前に定義された既知のシーケンス上で整合フィルタリング（コリレーション）を実行することを通して、トランスミッタとレシーバとの間の信号の同期化を達成することができる。
【０００３】
従来のＣＤＭＡシステムのレシーバは一般に、大量の電子部品を含む整合フィルタを使用することによって同期化を実現するように設計されており、ここで整合フィルタは大きな領域を占有しており、整合フィルタの実装は、より費用がかかる。特に、ＣＤＭＡレシーバは、符号シーケンスを整合してコリレーション・ピークを検出するために、整合フィルタを使用する。整合フィルタは一般に、遅延レジスタ、マルチプライヤおよびアダーを含む。整合フィルタは大量の電子部品を含むことを必要とすることから、システムの設計には費用がかかり、システムは大きな領域を占有する。
【０００４】
ここで図１を参照すると、この図はＣＤＭＡレシーバの中で達成される整合フィルタの機能を示す。レシーバが入力信号を受信する場合、整合フィルタは、符号シーケンスを整合するために調整される。ＴＤ−ＳＣＤＭＡ（時間分割−同期符号分割多重アクセス）システムなどのＱＰＳＫ変調を使用するシステムでは、符号シーケンスはレシーバによって受信される信号（すなわちデジタル・サンプル）の中に挿入される。符号シーケンスを提供することの目的は、通信システムの動作を向上させることである。特にＣＤＭＡワイヤレス通信システムでは、拡散スペクトル技術は、ひどい干渉を伴うワイヤレス環境で安定したデータ伝送を提供するために非常に適している。
【０００５】
一方ＣＤＭＡシステムでは、複数のユーザは同じ時間の中で同じスペクトラムの通信チャネルを共有している。１つの伝送を他のものから区別するために各ＵＥ（ユーザ機器）は固有の同期化符号シーケンスを有している。同期化シーケンスは通常、優れた自動コリレーション能力を有しているので、タイミング基準についてのいかなる事前の知識も伴わずに、ＵＥが同期化符号を迅速かつ正確に識別することを助け、また基地局が異なるＵＥによって使用される異なる符号を区別することも助ける。実施する中で、整合フィルタは通常、ＤＳ−ＣＤＭＡシステムの中で異なるＵＥの同期化と区別のために使用される。ちょうど図１に示されているように、整合フィルタ１は整合フィルタ・ユニット２と検出ユニット３とを含み、整合フィルタ・ユニット２は入力データ・ストリームの中の符号シーケンスで整合フィルタリングを実行するために使用され、検出ユニット３は整合フィルタ・ユニット２からの整合フィルタ出力を検出するために使用されており、整合フィルタ・ユニット２のより高い出力値は、予想される符号シーケンスとのよりよく調整された整合を示す。この処理はコリレーション処理とも呼ばれる。したがって高い出力値は、対象の符号シーケンスとの入力の良好なコリレーションを表す。さらに、フラット・フェーディング・チャネルでは、サブ・フレーム／時間スロット内のピークの出力値は、このサブ・フレーム／時間スロットのためのチャネル推定値として使用されることが可能である。
【０００６】
図２を参照すると、この図は、先行技術において整合フィルタを実施するための有限インパルス応答（ＦＩＲ）フィルタを示す概要図である。ちょうど図２に示されているように、符号シーケンスを長さＬと整合させるためには、Ｌの遅延レジスタ、ＬのマルチプライヤおよびＬのアダーが必要とされる。すなわち先行技術では、整合フィルタを実現するために、より多くのハードウェア部品が必要とされる。また、マルチプライヤのハードウェア実装は、より複雑なものであることが一般に知られている。
【発明の開示】
【発明が解決しようとする課題】
【０００７】
上記の理由を考慮して、より少ない電子部品と比較的より簡単なハードウェア構造体とを使用することによって、所望の整合フィルタの機能を実現するために、整合フィルタの新たなハードウェア実装を提供することが必要とされる。
【課題を解決するための手段】
【０００８】
本発明の目的は、特にＱＰＳＫ変調を使用するシステムの整合フィルタのために、ＣＤＭＡシステムの中の整合フィルタのハードウェア構造体を単純化するための新しい改良された方法および関数処理を提供することであり、パイロット・シーケンス（またはトレーニング・シーケンス）の特性は整合フィルタを実施するために、先行技術のマルチプライヤを（マルチプレクサによって実現されることが可能な）セレクタに置き換えるために使用される。
【０００９】
本発明の第１態様によって、複数のサンプリング・シーケンスの中の各々のサンプル点の同相成分（Ｉ成分）と直角位相成分（Ｑ成分）とを得るために、事前に処理された受信信号をオーバサンプリングし、抽出するステップと、複数の対応する整合フィルタをかけられた結果を得るために、事前に定義された選択信号によって、それぞれのサンプリング・シーケンスのために、同一のサンプリング・シーケンスの中のそれぞれのサンプル点のＩ成分とＱ成分とを変換し、結合するステップとを含む、ワイヤレス通信システムで整合フィルタを実施するための方法が提供される。
【００１０】
好ましくは、事前に定義された選択信号は既知のトレーニング・シーケンスに基づく選択信号であり、各サンプリング・シーケンスの長さは既知のトレーニング・シーケンスの長さに等しい。
【００１１】
本発明の第２態様によって、複数のサンプリング・シーケンスの中の各々のサンプル点のＩ成分とＱ成分とを得るために、事前に処理された受信信号をオーバサンプリングし、抽出するためのオーバサンプリングおよび抽出手段と、複数の対応する整合フィルタをかけられた結果を得るために、事前に定義された選択信号によって、それぞれのサンプリング・シーケンスのために、同一のサンプリング・シーケンスの中のそれぞれのサンプル点のＩ成分とＱ成分とを変換し、結合するための変換処理手段とを含む、ワイヤレス通信システムで整合フィルタを実施するための装置が提供される。
【００１２】
好ましくは、整合フィルタは、既知のトレーニング・シーケンスの選択信号に基づき事前に定義された選択信号を設定するための事前定義手段をさらに含み、それぞれのサンプリング・シーケンスは既知のトレーニング・シーケンスの長さと同じ長さである。
【００１３】
従来の方法と比較すると、本発明によるワイヤレス通信システムのレシーバで整合フィルタを実施するための装置および方法は、整合フィルタのハードウェア実装の複雑さと、回路の領域とを効果的に減少させることができる。
【００１４】
以下の添付の図面の説明と付属の特許請求の範囲を通じて、本発明のその他の目的および成果は明らかとなり、より完全な理解が得られることができる。
【００１５】
以下で、本発明の好ましい実施形態は図面を参照して説明される。
【００１６】
すべての添付の図面の中で、同じ参照符号は類似または同一の特徴および機能を表す。
【発明を実施するための最良の形態】
【００１７】
図３は、本発明の第１実施形態による整合フィルタのブロック図を示す。ワイヤレス通信システムのレシーバでは、受信された入力信号は最初に事前に処理され、その後整合フィルタに送信される。図３に示されているように、整合フィルタ１は、複数のサンプリング・シーケンスの中の各サンプル点のＩ成分とＱ成分とを得るために事前に処理された受信信号をオーバサンプリングし、抽出するためのオーバサンプリングおよび抽出手段２０と、複数の対応する整合フィルタをかけられた結果を得るために、事前に定義された選択信号によって、それぞれのサンプリング・シーケンスのために同じサンプリング・シーケンスの中のそれぞれのサンプル点のＩ成分とＱ成分とを変換し、結合するための変換処理手段３０とを含み、事前に定義された選択信号は既知のトレーニング・シーケンスの選択信号に基づく事前定義手段１０によって生成されることができる。好ましくは、サンプリング・シーケンスの各々の長さは、既知のトレーニング・シーケンスの長さと等しい。
【００１８】
実施の間、オーバサンプリングおよび抽出手段２０は、最初に複数のサンプリング・シーケンスを得るために受信信号をオーバサンプリングし、次いで各サンプル点のＩ成分とＱ成分とを抽出するために、複数のサンプリング・シーケンスの各サンプル点を処理することができる。代替として、オーバサンプリングおよび抽出手段２０は、最初に受信信号のＩ成分とＱ成分とを抽出し、次いで同じタイミング基準に基づいてＩ成分とＱ成分とをそれぞれオーバサンプリングすることができ、このようにしてもまた、複数のサンプリング・シーケンスの中の各サンプル点のＩ成分とＱ成分とは得られることができる。
【００１９】
さらに、整合フィルタ１は好ましくは、複数の整合フィルタをかけられた結果をバッファリングするためのバッファ手段４０と、最適に整合されたサンプリング・シーケンスを判定するために、バッファされた複数の整合フィルタをかけられた結果を比較するための比較手段５０とを含んでもよく、最適に整合されたサンプリング・シーケンスに対応する整合フィルタをかけられた結果の値は最大の値である。
【００２０】
図４は、図３に示されている整合フィルタの中の変換処理手段の構成概要図である。変換処理手段３０は取り消し手段３０１と信号結合手段３０２と累算手段３０３とを含み、取り消し手段３０１は取り消されたＩ成分と取り消されたＱ成分とを得るために、それぞれのサンプル点のＩ成分とＱ成分との取り消し動作を実行するために使用され、一方で信号結合手段３０２はそれぞれのサンプル点の対応する出力結果を得るために、それぞれのサンプル点のＩ成分、取り消されたＩ成分、Ｑ成分および取り消されたＱ成分の事前に定義された結合動作を実行するために使用され、一方で累算手段はサンプリング・シーケンスに対応する整合フィルタをかけられた結果を得るために、サンプリング・シーケンスのために、同じサンプリング・シーケンスの中のそれぞれのサンプル点が対応する出力結果について累算動作を実行するために使用される。
【００２１】
図５は、本発明の実施形態によるワイヤレス通信システムで整合フィルタを実施するための方法の流れ図である。ワイヤレス通信システムのレシーバでは、受信された入力信号は最初に事前に処理され、次いで整合フィルタ処理を経る。ステップＳ１で、事前に処理された受信信号は受信され、次いでステップＳ２に進む。ステップＳ２で、同じサンプリング・シーケンスのためのそれぞれのサンプル点のＩ成分とＱ成分とは、複数の対応する整合フィルタをかけられた結果を得るために変換され、結合され、その後ステップＳ３に入り、同じサンプリング・シーケンスのためのそれぞれのサンプル点のＩ成分とＱ成分とは、複数のサンプリング・シーケンスに対応する複数の整合フィルタをかけられた結果を得るために変換され、結合され、事前に定義された選択信号は、既知のトレーニング・シーケンスの選択信号に基づき生成される。さらに、それぞれのサンプリング・シーケンスは、好ましくは既知のトレーニング・シーケンスの長さと同じ長さのものである。
【００２２】
実施の間、ステップＳ２では、受信された信号は最初に複数のサンプリング・シーケンスを得るためにオーバサンプリングされることができ、次いで複数のサンプリング・シーケンスの各サンプル点は各サンプル点のＩ成分とＱ成分とを抽出するために処理される。代替として、ステップＳ２では、受信された信号のＩ成分とＱ成分とは最初に抽出され、次いで同じタイミング基準に基づいてそれぞれオーバサンプリングされることができ、このようにしてもまた、複数のサンプリング・シーケンスの中の各サンプル点のＩ成分とＱ成分とは得られることができる。
【００２３】
さらに図５に示されているように、ワイヤレス通信システムのレシーバの中で受信される信号について整合フィルタリングを実施する方法は、好ましくはステップＳ３に続くさらなるステップ４を含む。ステップＳ４では、複数のサンプリング・シーケンスに対応する複数の整合フィルタをかけられた結果は、最適に整合されたサンプリング・シーケンスを判定するためにバッファされ、比較され、最適に整合されたサンプリング・シーケンスに対応する整合フィルタをかけられた結果の値は最大の値である。
【００２４】
特に、図５に示されている整合フィルタ方法のステップＳ３は、
取り消されたＩ成分と取り消されたＱ成分とを得るために、それぞれのサンプル点のＩ成分とＱ成分とについて取り消し動作を実行するサブステップと、
それぞれのサンプル点の対応する出力結果を得るために、それぞれのサンプル点のＩ成分、取り消されたＩ成分、Ｑ成分および取り消されたＱ成分の事前に定義された結合動作を実行するサブステップと、
サンプリング・シーケンスに対応する整合フィルタをかけられた結果を得るために、サンプリング・シーケンスのために、同じサンプリング・シーケンスの中のそれぞれのサンプル点が対応する出力結果について累算動作を実行するサブステップとを含んでもよい。
【００２５】
第１実施形態
ＱＰＳＫ変調を用いるモバイル通信システムでは、同期化符号（ＳＣ）シーケンス（すなわち事前に定義されたトレーニング・シーケンス）の各ＳＣが複素シンボルに写像される場合、複素数の振幅は常に１であり、複素シンボルの位相は９０°の差を有する。したがって、複素シンボルへの写像の後、各ＳＣ（すなわち同期化符号）は、振幅１の複素集合から選択された４つの値のうちの１つのみであることが可能である。信号の位相角が（０°，１８０°，９０°，２７０°）である場合、この値の典型的な集合は、（１，−１，ｊ，−ｊ）によって表され、信号の位相角が（４５°，３１５°，１３５°，２２５°）である場合、値の別の集合は、（１＋ｊ，１−ｊ，−１＋ｊ，−１−ｊ）である。
【００２６】
特にＴＤ−ＳＣＤＭＡシステムでは、ＳＣシーケンスの各ユニットの数値は集合｛１，−１，ｊ，−ｊ｝のうちの１つである。レシーバの中の整合フィルタの入力をｘと仮定すると、オーバサンプリングされた後の入力サンプルはｘ（ｎ）＝Ｉ（ｎ）＋ｊＱ（ｎ）となり、この式でのＩ（ｎ）は同相成分（Ｉ成分）であり、Ｑ（ｎ）は直角位相成分（Ｑ成分）であって、それらの両方は抽出処理を使用することによって得られることができ、ｓｓ（ｉ）は事前に定義されたＳＣシーケンスのｉ番目の符号チップである。したがって以下の式は、ｓｓ＊（ｉ）がｓｓ（ｉ）の共役値（ｃｏｎｊｕｇａｔｅ  ｖａｌｕｅ）であって、入力サンプルの結果のＩ成分とＱ成分、および事前に定義されたＳＣシーケンスの中の対応する符号チップを表すために使用されることができる。
【数１】
2008529386.tif 000003
【００２７】
ｙ（ｎ）＝Ｒｅ［ｙ（ｎ）］＋ｊＩｍ［ｙ（ｎ）］であるので、複数のサンプリング・シーケンスの各サンプル点のために得られる整合フィルタをかけられた結果は、ＩがＩ成分、ＱがＱ成分、−Ｉが取り消されたＩ成分、−Ｑが取り消されたＱ成分である集合｛Ｉ＋ｊＱ，−Ｉ−ｊＱ，−Ｑ＋ｊＩ，Ｑ−ｊＩ｝のうちの１つであることが演繹されることができる。
【００２８】
しかしながらＷＣＤＭＡシステムでは、ＳＣシーケンスの各ユニットの数値は集合｛１＋ｊ，１−ｊ，−１＋ｊ，−１−ｊ｝のうちの１つである。同様に、レシーバの中の整合フィルタの入力をｘと仮定すると、オーバサンプリングされた後の入力サンプルはｘ（ｎ）＝Ｉ（ｎ）＋ｊＱ（ｎ）となり、この式でのＩ（ｎ）はＩ成分であり、Ｑ（ｎ）はＱ成分であって、それらの両方は抽出処理を使用することによって得られることができ、ｓｓ（ｉ）は事前に定義されたＳＣシーケンスのｉ番目の符号チップである。したがって以下の式は、入力サンプルの結果のＩ成分とＱ成分、および事前に定義されたＳＣシーケンスの中の対応する符号チップを表すために使用されることができる。
【数２】
2008529386.tif 000004
【００２９】
ｙ（ｎ）＝Ｒｅ［ｙ（ｎ）］＋ｊＩｍ［ｙ（ｎ）］であることから、複数のサンプリング・シーケンスの各サンプル点のために得られる整合フィルタを通過した結果は、ＩがＩ成分、ＱがＱ成分、−Ｉが取り消されたＩ成分、−Ｑが取り消されたＱ成分である集合｛（Ｉ−Ｑ）＋ｊ（Ｉ＋Ｑ），（Ｉ＋Ｑ）＋ｊ（−Ｉ＋Ｑ），（−Ｉ−Ｑ）＋ｊ（Ｉ−Ｑ），（−Ｉ＋Ｑ）＋ｊ（−Ｉ−Ｑ）｝のうちの１つであることが演繹されることができる。
【００３０】
図６は、図３および図４に示されている変換処理手段３０の各回路要素の特定の回路実施方法の概要図である。ワイヤレス通信システムのレシーバの中の事前に定義されたトレーニング・シーケンスの長さがＬであるとすると、変換処理手段３０は、各々が（マルチプレクサによって実現されることができる）コンバイナ３０２１とアダー３０２２と遅延手段３０２３とを含むＬの同一の動作ユニットを含み、遅延手段３０２３の遅延時間は、複数の遅延レジスタによって実現されることができる各サンプリング・シーケンスの中の隣接する２つのサンプル点の時間間隔である。コンバイナ３０２１は事前に定義された選択関数の集合に基づいて、入力サンプルのＩ成分、Ｑ成分、Ｉ成分の取り消しおよびＱ成分の取り消しの様々な結合動作を実行し、その結果は事前に定義された結果の集合のうちの１つである。ＴＤ−ＳＣＤＭＡシステムについては、特に上の式（１）で示されているように、予想される結果の集合は、ＩがＩ成分、ＱがＱ成分、−Ｉが取り消されたＩ成分、−Ｑが取り消されたＱ成分である集合｛Ｉ＋ｊＱ，−Ｉ−ｊＱ，−Ｑ＋ｊＱ、Ｑ−ｊＩ｝のうちの１つである。ＷＣＤＭＡシステムについては、予想される結果の集合は、ＩがＩ成分、ＱがＱ成分、−Ｉが取り消されたＩ成分、−Ｑが取り消されたＱ成分である集合｛（Ｉ−Ｑ）＋ｊ（Ｉ＋Ｑ），（Ｉ＋Ｑ）＋ｊ（−Ｉ＋Ｑ），（−Ｉ−Ｑ）＋ｊ（Ｉ−Ｑ），（−Ｉ＋Ｑ）＋ｊ（−Ｉ−Ｑ）｝である。
【００３１】
上の式（１）および（２）に示されているように、変換プロセッサ３０の出力結果ｙのＩ成分とＱ成分とは別々に計算されることができる。ベースバンドのハードウェア実装では、変換処理手段３０は、整合フィルタをかけられた結果のＩ成分（すなわちＩ成分）を作り出すための１つの回路部分と、整合フィルタをかけられた結果のＱ成分（すなわちＱ成分）を作り出すための別の回路部分との２つの部分に都合よく分割されてもよく、両方の回路部分は図５に示されているような特定の回路構造体によって実現されることができ、それらの間の差だけが図６に示されているコンバイナの結合関数の差の中に存在するだけである。
【００３２】
上述のようにＷＣＤＭＡシステムについては、上の式（２）によって、各サンプル点ｘ（ｎ）のためのＩ成分Ｒｅ［ｙ（ｎ）］とＱ成分Ｉｍ［ｙ（ｎ）］とは、ＳＣシーケンス（すなわち事前に定義されたトレーニング・シーケンス）の中の対応する符号ｓｓ＊（ｉ）（すなわちｓｓ（ｉ）の共役値）の値に応じて｛（Ｉ−Ｑ），（Ｉ＋Ｑ），（−Ｉ−Ｑ），（−Ｉ＋Ｑ）｝と｛（Ｉ＋Ｑ），（−Ｉ＋Ｑ），（Ｉ−Ｑ），（−Ｉ−Ｑ）｝である。したがって、出力結果のＩ成分とＱ成分との２つの回路部分に関しては、それぞれ上の式（２）の２つの式で示されているように、差はコンバイナの異なる結合関数の中に存在する。ＴＤ−ＳＣＤＭＡシステムについては、上の式（１）によって、各サンプル点ｘ（ｎ）のための整合フィルタをかけられた結果の同相成分Ｒｅ［ｙ（ｎ）］と直角位相Ｉｍ［ｙ（ｎ）］とは、ＳＣシーケンス（すなわち事前に定義されたトレーニング・シーケンス）の中の対応する符号ｓｓ＊（ｉ）（すなわちｓｓ（ｉ）の共役値）の値に応じて｛Ｉ，−Ｉ，−Ｑ，Ｑ｝と｛Ｑ、−Ｑ，Ｉ，−Ｉ｝である。したがって、出力結果のＩ成分とＱ成分との２つの回路部分に関しては、セレクタはコンバイナ３０２１を実現するために使用されることができ、ちょうど、それぞれ上の式（１）の２つの式の中で示されているように、差はセレクタの異なる選択関数の中に存在しており、この回路はより単純なものである。
【００３３】
ＴＤ−ＳＣＤＭＡシステムでは、サブ・フレームのための同期化シーケンスはＤｗＰＴＳであり、時間スロットのための同期化シーケンスはトレーニング・シーケンスである。ＤｗＰＴＳとトレーニング・シーケンスとの両方は、交互に起こる実数と虚数である。ＤｗＰＴＳとトレーニング・シーケンスとの奇数符号は常に虚数である一方で、ＤｗＰＴＳとトレーニング・シーケンスとの偶数符号は常に実数である。出力結果のＩ成分Ｒｅ［ｙ］を算出するために、入力サンプルのＱ成分だけが、変換処理手段３０で出力結果のＩ成分を出力するための回路部分の奇数動作ユニットの入力とみなされ、入力サンプルのＩ成分は、変換処理手段３０で出力結果のＩ成分を出力するための回路部分の偶数動作ユニットの入力とみなされる。出力結果のＱ成分Ｉｍ［ｙ］を算出するために、入力サンプルのＩ成分だけが、変換処理手段３０で出力結果のＱ成分を出力するための回路部分の奇数動作ユニットの入力とみなされ、入力サンプルのＱ成分は、変換処理手段３０で出力結果のＱ成分を出力するための回路部分の偶数動作ユニットの入力とみなされる。
【００３４】
したがって、ＴＤ−ＳＣＤＭＡワイヤレス通信システムについては、整合フィルタの変換処理手段３０の出力結果のＩ成分とＱ成分とを出力するための２つの回路部分は、図７Ａおよび７Ｂに示されているように、それぞれ４種類のセレクタを使用することができる。出力結果のＩ成分は図７Ａに示されている。変換処理手段３０の出力結果のＩ成分を算出するための奇数動作ユニットのためには、第１の種類のセレクタ１  ３０２１’が採用され、
【数３】
2008529386.tif 000005
として定義される。変換処理手段３０の出力結果のＩ成分を算出するための偶数動作ユニットのためには、第２の種類のセレクタ（セレクタ２）３０２１’’が使用され、
【数４】
2008529386.tif 000006
として定義される。
【００３５】
簡潔であることを目的として、Ｌは偶数であると仮定する。したがって図７Ａに示されている回路では、Ｌセレクタは第２の種類の選択３０２１’’である、
出力結果のＩ成分は図７Ｂに示されており、変換処理手段３０の出力結果のＱ成分を算出するための奇数動作ユニットのためには、第３の種類のセレクタ（セレクタ３）３０２１’’’が使用され、
【数５】
2008529386.tif 000007
として定義される。
【００３６】
変換処理手段３０の出力結果のＱ成分を算出するための偶数動作ユニットのためには、第４の種類のセレクタ（セレクタ４）３０２１’’’’が使用され、
【数６】
2008529386.tif 000008
として定義される。
【００３７】
同様に簡潔であることを目的として、Ｌは偶数であると仮定し、Ｌセレクタは図７Ｂの回路の中の第４の種類のセレクタ３０２１’’’’である。
【００３８】
図８に示されているように、ＷＣＤＭＡシステムでセレクタ３０２１’’’’はまた図６に示されているコンバイナ３０２１を実現するために使用されることもできるが、それぞれのセレクタの入力の前に変換回路３０４を付け加える必要があり、変換回路３０４は入力サンプルのＩ成分、Ｑ成分、取り消されたＩ成分および取り消されたＱ成分を、論理動作（例えば４つのアダー）によって選択されるべき４つの入力信号Ｉ＋Ｑ、Ｉ−Ｑ、−Ｉ＋Ｑおよび−Ｉ−Ｑに変換するために使用され、それによって再び回路構成を簡単にして、特定の回路構造体は図８に示されている。好ましくは、図８に示されているネゲータ［negators―否定回路―］８は、変換回路３０４にも含まれる。出力結果のＩ成分とＱ成分とのためのセレクタは、それぞれ２種類のセレクタ（セレクタ５およびセレクタ６）を採用してもよく、それらの選択関数は上記の式の中で示されているものである。
【００３９】
本発明は現時点で好ましい実施形態に関して説明されてきたが、そのような開示が制限として解釈されるわけではないということが理解されるべきである。上述の開示を読んだ後、様々な改造および変更形態が、当業者には間違いなく明らかとなろう。したがって添付の特許請求の範囲は、本発明の真の精神および範囲に入るすべての改造および変更形態を含有するものとして解釈されることが意図されている。
【図面の簡単な説明】
【００４０】
【図１】ワイヤレス通信システムのレシーバの中の整合フィルタの機能ブロック図。
【図２】先行技術における整合フィルタのハードウェア実装の機能ブロック図。
【図３】本発明の実施形態による整合フィルタのブロック図。
【図４】本発明の実施形態による整合フィルタの中の変換処理手段の構成概要図。
【図５】本発明の実施形態によるワイヤレス通信システムで整合フィルタを実施するための方法の流れ図。
【図６】図３および図４に示される変換処理手段の回路実施方法の概要図。
【図７Ａ】ＴＤ−ＳＣＤＭＡシステムにおける、変換処理手段の出力結果のＩ成分とＱ成分のために使用される各回路部分の特定の回路実施方法を示す概略図。
【図７Ｂ】ＴＤ−ＳＣＤＭＡシステムにおける、変換処理手段の出力結果のＩ成分とＱ成分のために使用される各回路部分の特定の回路実施方法を示す概略図。
【図８】ＷＣＤＭＡシステムにおける、変換処理手段のＩ成分とＱ成分の出力結果のために使用される各回路部分の特定の回路実施方法を示す概要図。
【図１】
2008529386.tif 000009
【図２】
2008529386.tif 000010
【図３】
2008529386.tif 000011
【図４】
2008529386.tif 000012
【図５】
2008529386.tif 000013
【図６】
2008529386.tif 000014
【図７Ａ】
2008529386.tif 000015
【図７Ｂ】
2008529386.tif 000016
【図８】
2008529386.tif 000017
【国際調査報告】
2008529386.tif 000018
2008529386.tif 000019
2008529386.tif 000020